(57)【要約】【課題】  耐久性をより向上させたボール転動型免震装置用ベースプレートを提供すること。【解決手段】  セラミック材を材質とするとともに円弧状の湾曲窪み１１０ａを有する形状に成形された母体部１１０と、母体部１１０の内部に配設された格子状鉄筋材１２０又は編目状平鋼材により構成される拘束体部とを備えていることを特徴としている。【参考図】図１【特許請求の範囲】
【請求項１】
セラミック材を材質とするとともに円弧状の湾曲窪みを有する形状に成形された母体部と、
該母体部の内部に配設された格子状鉄筋材又は編目状平鋼材により構成される拘束体部とを備えていることを特徴とするボール転動型免震装置用ベースプレート。
【請求項２】
セラミック材を材質とするとともに円弧状の湾曲窪みを有する形状に成形された母体部と、
該母体部の外周に沿って配設されたベルト状のラジアル方向拘束体部とを備えていること
【請求項３】
母体部の外周に沿って配設されたベルト状のラジアル方向拘束体部を備えていることを特徴とする請求項１記載のボール転動型免震装置用ベースプレート。
【請求項４】
セラミック材を材質とするとともに円弧状の湾曲窪みを有する形状に成形された母体部と、
該母体部の裏面に配設された板状の接地面圧分散体部とを備えていることを特徴とするボール転動型免震装置用ベースプレート。
【請求項５】
母体部の裏面に配設された板状の接地面圧分散体部を備えていることを特徴とする請求項１から３の何れかに記載のボール転動型免震装置用ベースプレート。
【発明の詳細な説明】
【技術分野】
【０００１】
本発明は、ボール転動型免震装置を構成するためのベースプレートに関する。
【背景技術】
【０００２】
日本は地震が多く発生するところであるから、住宅用、業務用などの如何によらず建物１０００には、免震装置が設けられている。ここで、免震装置には、種々の型式（方式）のものがあるが、図８に示すような、円弧状の湾曲窪みを有する鋼製のベースプレート９１０により、同じく鋼製のボール９２０を転動可能に支持する型式のもの、すなわちボール転動型免震装置９００がある（特許文献１から６参照）。
【０００３】
このボール転動型免震装置９００は、更に、図８に示すボール９２０を下方（地面ＧＬ側又はコンクリート基礎側）のベースプレート９１０により転動可能に支持する型式のものと、図示はしないが上下のベースプレートにより支持する型式のものとに区分することができる。
【特許文献１】特開平１０−２５２３１２
【特許文献２】特開平１１−１４８２４９
【特許文献３】特開平１１−３１５８８５
【特許文献４】特開２０００−２８２７０６
【特許文献５】特開２００１−１８２３６３
【特許文献６】特開２００２−２１９１７
【発明の開示】
【発明が解決しようとする課題】
【０００４】
ここで、ボール９２０には、建造物（主として住宅）の荷重がかかるために、剛性の高い鋼材が使用されている。このため、ベースプレートのボールとの接触部分に非常に高い面圧が作用して、ボールとの接触部分が凹んでしまったり、ボールが転動することによりベースプレートがつぶれて広がってしまう等の問題点があった。すなわち、ベースプレートの耐久性のより向上が望まれていた。
【０００５】
そこで、案出されたのが本発明であって、本発明は、耐久性をより向上させたボール転動型免震装置用ベースプレートを提供することを目的としている。
【課題を解決するための手段】
【０００６】
（請求項１）
この目的を達成するために請求項１記載のボール転動型免震装置用ベースプレートは、セラミック材を材質とするとともに円弧状の湾曲窪みを有する形状に成形された母体部と、該母体部の内部に配設された格子状鉄筋材又は編目状平鋼材により構成される拘束体部とを備えている。
かかる構成を有する請求項１記載のボール転動型免震装置用ベースプレートによれば、拘束体部により、母体部の引張強度が補強される。
（請求項２）
請求項２記載のボール転動型免震装置用ベースプレートは、セラミック材を材質とするとともに円弧状の湾曲窪みを有する形状に成形された母体部と、該母体部の外周に沿って配設されたベルト状のラジアル方向拘束体部とを備えている。
かかる構成を有する請求項２記載のボール転動型免震装置用ベースプレートによれば、ラジアル方向拘束体部が母体部の外周に沿って配設されている（巻回されている）ので、母体部のラジアル方向（法線方向）の広がりが拘束される。
（請求項３）
請求項３記載のボール転動型免震装置用ベースプレートは、請求項１記載のボール転動型免震装置用ベースプレートにおいて、母体部の外周に沿って配設されたベルト状のラジアル方向拘束体部を備えている。
かかる構成を有する請求項３記載のボール転動型免震装置用ベースプレートによれば、請求項１記載のボール転動型免震装置用ベースプレートと同様に作用する上、請求項２記載のボール転動型免震装置用ベースプレートと同様に作用する。
（請求項４）
請求項４記載のボール転動型免震装置用ベースプレートは、セラミック材を材質とするとともに円弧状の湾曲窪みを有する形状に成形された母体部と、該母体部の裏面に配設された板状の接地面圧分散体部とを備えている。
かかる構成を有する請求項４記載のボール転動型免震装置用ベースプレートによれば、接地面圧分散体部により、母材の裏面に加わる力が分散される。
（請求項５）
請求項５記載のボール転動型免震装置用ベースプレートは、請求項１から３の何れかに記載のボール転動型免震装置用ベースプレートにおいて、母体部の裏面（ボールと接触する面（表面（おもてめん））の反対面）に配設された板状の接地面圧分散体部を備えている。
かかる構成を有する請求項５記載のボール転動型免震装置用ベースプレートによれば、請求項１から３の何れかに記載のボール転動型免震装置用ベースプレートと同様に作用する上、請求項４記載のボール転動型免震装置用ベースプレートと同様に作用する。
【発明の効果】
【０００７】
（請求項１）
請求項１記載のボール転動型免震装置用ベースプレートによれば、母体部の引張強度を補強することができるという効果がある。
（請求項２）
請求項２記載のボール転動型免震装置用ベースプレートによれば、ラジアル方向拘束体部が母体部のラジアル方向の広がりが防止されるので、母体部の広がり変形や、割れを防止することができるという効果がある。
（請求項３）
請求項３記載のボール転動型免震装置用ベースプレートによれば、請求項１記載のボール転動型免震装置用ベースプレートの奏する効果に加え、請求項２記載のボール転動型免震装置用ベースプレートと同様の効果を奏する。
（請求項４）
請求項４記載のボール転動型免震装置用ベースプレートによれば、接地面圧分散体部により、母材の裏面に加わる力を分散することができ、セラミック材からなるが故に、裏面の表面に凸部がある場合にも、その凸部を支点にひび割れが発生してしまうことを防止することができるという効果がある。
（請求項５）
請求項５記載のボール転動型免震装置用ベースプレートによれば、請求項１から３の何れかに記載のボール転動型免震装置用ベースプレートの奏する効果に加え、請求項４記載のボール転動型免震装置用ベースプレートと同様の効果を奏する。
【発明を実施するための最良の形態】
【０００８】
以下、添付図面を参照して本発明の好ましい実施の形態の例（実施例）について説明する。勿論、下記実施例は、本発明の好適な実施例を示すに過ぎず、本発明の技術的範囲は、下記実施例そのものに何ら限定されるものではない。
【０００９】
（第１実施例）
図１は、本発明の実施例の一つ（第１実施例）であるボール転動型免震装置用ベースプレート（以下、便宜上、適宜、単に「ベースプレート」と称する。）１００を示す図である。ベースプレート１００は、従来技術のベースプレート９１０と同様に、建物１０００と地面ＧＬ（コンクリート基礎）との間に配設されるとともに、ボール９２０とともに免震装置を構成するものである。図１に示すように、ベースプレート１００は、母体部１１０と、拘束体部１２０とを備えている。
【００１０】
母体部１１０は、ボール９２０を支持するものであり、ボール９２０に接触する面である表面に円弧状の湾曲窪み１１０ａが形成されており、他方、コンクリート基礎面に接触する面である裏面が平坦面１１０ｂとされている。
【００１１】
この母体部１１０には、内部に格子状に組まれた複数の鉄筋１２０ａ，…，１２０ａが配設されており、これら格子状に組まれた複数の鉄筋１２０ａ，…，１２０ａにより、（特許請求の範囲に記載の）拘束体部の一種である格子状鋼材１２０が構成されている。そして、このように格子状鋼材１２０が設けられているので、母体部１１０はセラミック材からなるので、圧縮力には強いものの引張強度に弱いという特徴があるが、格子状鋼材１２０により引張強度が補強されるので、ボール９２０が湾曲窪み１１０ａ内を転動した場合にも、母体部１１０が割れてしまったり、変形してしまったり（具体的には、ラジアル方向（法線方向）に広がったり、湾曲窪み１１０ａが潰れてしまう）ことを防止することができる。
【００１２】
勿論、拘束体部は、格子状鋼材により構成されるものに限られず、特許請求の範囲に記載されているように、編目状平鋼材（平鋼板に複数の透孔をあけたものは勿論のこと、メタルラス、エキスパンドメタル等も含まれる。）により構成されるものであっても良い（下記の実施例に組み合わせる場合も同様である）。なお、透孔の形状は、角形であっても丸形であっても角形と丸形の組み合わせであっても良いし、拘束体部の材質である鋼材はＦｅに限られず、Ｆｅとの合金であっても良いことはいうまでもない。
【００１３】
（第２実施例）
次に、図２を参照して、上記実施例とは別の実施例（第２実施例）のベースプレート２００について説明する。第２実施例を説明するに当たっては、上記実施例と異なる部分に重点をおいて説明し、同じ部分については説明を省略し又は簡略する。
【００１４】
第２実施例のベースプレート２００は、母体部１１０と、この母体部１１０の外周１１０ｃに沿って配設されたベルト状のラジアル方向拘束体部２２０とを備えている。このラジアル方向拘束体部２２０は鋼材からなり、このラジアル方向拘束体部２２０によって、母体部１１０がラジアル方向に広がってしまうことを防止することができる。
【００１５】
（第３実施例）
次に、図３を参照して、上記実施例（第１及び第２実施例）とは別の実施例（第３実施例）のベースプレート４００について説明する。第３実施例を説明するに当たっては、上記実施例と異なる部分に重点をおいて説明し、同じ部分については説明を省略し又は簡略する。
【００１６】
第３実施例のベースプレート３００は、母体部１１０と、この母体部１１０の平坦面１１０ｂ側に配設された円盤状の接地面圧分散体部３２０とを備えている。この接地面圧分散体部３２０は硬質ゴム材又は鋼材からなり、この接地面圧分散体部３２０によって、ボール９２０の転動により母体部１１０が割れてしまうことを防止することができる。なぜなら、母体部１１０はセラミック材からなるために表面研磨加工しないと表面に多少の凹凸を有しており、加重が加わった場合に凸部が支点となって母体部１１０が割れてしまう危険性があったからである。また、平坦面１１０ｂに表面研磨加工が施してあっても、地面側（コンクリート基礎側）に凹凸があることもあり、同様に割れてしまう危険性があったからである。
【００１７】
（第４実施例）
次に、図４を参照して、上記実施例（第１〜第３実施例）とは別の実施例（第４実施例）のベースプレート４００について説明する。第４実施例を説明するに当たっては、上記実施例と異なる部分に重点をおいて説明し、同じ部分については説明を省略し又は簡略する。
【００１８】
第４実施例のベースプレート４００は、母体部１１０と、格子状鋼材１２０と、ラジアル方向拘束体部２２０とを備えている。これにより、母体部１１０のラジアル方向の変形をより強固に防止することができる。
【００１９】
（第５実施例）
次に、図５を参照して、上記実施例（第１〜第４実施例）とは別の実施例（第４実施例）のベースプレート５００について説明する。第５実施例を説明するに当たっては、上記実施例と異なる部分に重点をおいて説明し、同じ部分については説明を省略し又は簡略する。
【００２０】
第５実施例のベースプレート５００は、母体部１１０と、格子状鋼材１２０と、接地面圧分散体部３２０とを備えている。これにより、母体部１１０のラジアル方向の変形を防止することができるとともに、割れを防止しまうこともできる。
【００２１】
（第６実施例）
次に、図６を参照して、上記実施例（第１〜第５実施例）とは別の実施例（第６実施例）のベースプレート５００について説明する。第６実施例を説明するに当たっては、上記実施例と異なる部分に重点をおいて説明し、同じ部分については説明を省略し又は簡略する。
【００２２】
第６実施例のベースプレート６００は、母体部１１０と、ラジアル方向拘束体部２２０と、接地面圧分散体部３２０とを備えている。これにより、第５実施例のベースプレート５００と同様に、母体部１１０のラジアル方向の変形および割れを防止することができる。
【００２３】
（第７実施例）
次に、図７を参照して、上記実施例（第１〜第６実施例）とは別の実施例（第７実施例）のベースプレート５００について説明する。第７実施例を説明するに当たっては、上記実施例と異なる部分に重点をおいて説明し、同じ部分については説明を省略し又は簡略する。
【００２４】
第７実施例のベースプレート７００は、母体部１１０と、格子状鋼材１２０と、ラジアル方向拘束体部２２０と、接地面圧分散体部３２０とを備えている。これにより、
第４及び第５実施例のベースプレート５００と同様に、母体部１１０のラジアル方向の変形および割れを強固に防止することができる。
【００２５】
以上実施例に基づき本発明を説明したが、本発明の実施例は上記実施例に限定されるものではなく本発明の趣旨を逸脱しない範囲内で種々の改良変形が可能であることはいうまでもなく、本発明の技術的範囲にはこれらの改良変形も含まれる。
【００２６】
例えば、本実施例におけるベースプレート１００，…，７００は、ボール９１０の下側（地面（地盤）Ｇ側にのみ配設される場合の実施例のみを説明しているが、当然に、ボール９１０の上下両側（建物１０００側及び地面Ｇ側の両方）に配設されても良いし（例えば、特開平１１−３１５８８５号公報を参照）、ボール９１０の上側（建物１０００側）にのみ配設されても良い（例えば、特開平１１−１４８２４９号公報を参照）。
【図面の簡単な説明】
【００２７】
【図１】図１は、第１実施例のボール転動型免震装置用ベースプレートを示す図であり、（ａ）は、平面図であり、（ｂ）は、側面図であり、（ｃ）は、側方断面部である。
【図２】図２は、第２実施例のボール転動型免震装置用ベースプレートを示す図であり、（ａ）は、平面図であり、（ｂ）は、上方斜視図であり、（ｃ）は、側面図であり、（ｄ）は、側方断面部である。
【図３】図３は、第３実施例のボール転動型免震装置用ベースプレートを示す図であり、（ａ）は、平面図であり、（ｂ）は、上方斜視図であり、（ｃ）は、側面図であり、（ｄ）は、側方断面部である。
【図４】図４は、第４実施例のボール転動型免震装置用ベースプレートを示す図であり、（ａ）は、平面図であり、（ｂ）は、側面図であり、（ｃ）は、側方断面部である。
【図５】図５は、第５実施例のボール転動型免震装置用ベースプレートを示す図であり、（ａ）は、平面図であり、（ｂ）は、側面図であり、（ｃ）は、側方断面部である。
【図６】図６は、第６実施例のボール転動型免震装置用ベースプレートを示す図であり、（ａ）は、平面図であり、（ｂ）は、上方斜視図であり、（ｃ）は、側面図であり、（ｄ）は、側方断面部である。
【図７】図７は、第７実施例のボール転動型免震装置用ベースプレートを示す図であり、（ａ）は、平面図であり、（ｂ）は、上方斜視図であり、（ｃ）は、側面図であり、（ｄ）は、側方断面部である。
【図８】図８は、建物にボール転動型免震装置用ベースプレートを適用した図である。
【符号の説明】
【００２８】
１００    ボール転動型免震装置用ベースプレート
１１０    母体部
１１０ａ  湾曲窪み
１１０ｂ  平坦面
１１０ｃ  外周
１２０    格子状鋼材
１２０ａ  鉄筋
２００    ボール転動型免震装置用ベースプレート
２２０    ラジアル方向拘束体部
３００    ボール転動型免震装置用ベースプレート
３２０    接地面圧分散体部
４００    ボール転動型免震装置用ベースプレート
５００    ボール転動型免震装置用ベースプレート
６００    ボール転動型免震装置用ベースプレート
７００    ボール転動型免震装置用ベースプレート
９１０    ボール
１０００  建物
ＧＬ      地面
【図１】
2005140276.tif 000002
【図２】
2005140276.tif 000003
【図３】
2005140276.tif 000004
【図４】
2005140276.tif 000005
【図５】
2005140276.tif 000006
【図６】
2005140276.tif 000007
【図７】
2005140276.tif 000008
【図８】
2005140276.tif 000009